(57)【要約】【課題】ディスプレイ装置の小型化を図るとともに、テレビジョン装置の設置場所に対する制約が少なく、デザインの自由度を確保でき、美観を向上する上で有利なテレビジョン装置を提供する。【解決手段】テレビジョン装置１０は、薄板状のディスプレイ装置１２とこのディスプレイ装置１２を支持するスタンド２０と信号処理部７０Ａとを備える。スタンド２０は載置部２１と、載置部２１に旋回可能に連結された下旋回部２２Ａと、下旋回部２２Ａの上に設けられ先端でディスプレイ装置１２を支持する上旋回部２２Ｂとで構成されている。信号処理部７０Ａは、放送局から受信した電波、あるいは、外部装置から供給される映像信号および音声信号に基づいて、ディスプレイパネル１２０２に画像を表示させるものであり、ディスプレイ装置１２およびスタンド２０から切り離して設けられている。【選択図】図２３
2011010361.tif 000002
【特許請求の範囲】
【請求項１】
供給される画像信号に基づいて画像を表示する薄板状のディスプレイ装置と、
前記ディスプレイ装置を支持するスタンドと、
前記ディスプレイ装置に前記画像信号を供給する信号処理部と
を備え、
前記信号処理部は、前記ディスプレイ装置および前記スタンドに対して切り離されて設けられ、
前記信号処理部から前記ディスプレイ装置に前記画像信号を伝達する信号伝達部が設けられている
テレビジョン装置。
【請求項２】
前記信号処理部は信号ボックスに収容されている
請求項１記載のテレビジョン装置。
【請求項３】
前記信号伝達部による前記画像信号の伝達は、前記画像信号を無線信号に変換し、この無線信号を用いて行われる
請求項２記載のテレビジョン装置。
【請求項４】
前記テレビジョン装置は、供給される音声信号に基づいて音響を発するスピーカーを備え、前記信号処理部は前記音声信号を供給するように構成され、前記信号伝達部は前記信号処理部から前記スピーカーに前記音声信号を伝達するように構成されている
請求項３記載のテレビジョン装置。
【請求項５】
前記テレビジョン装置は、供給される音声信号に基づいて音響を発するスピーカーを備え、前記信号処理部は前記音声信号を供給するように構成され、前記信号伝達部は前記信号処理部から前記スピーカーに前記音声信号を伝達するように構成され、前記スピーカーは前記スタンドに設けられている
請求項４記載のテレビジョン装置。
【発明の詳細な説明】
【技術分野】
【０００１】
本発明はテレビジョン装置に関する。
【背景技術】
【０００２】
近年、液晶ディスプレイ、プラズマディスプレイ、あるいは、有機エレクトロルミネッセンス（有機ＥＬ）ディスプレイなどの薄板状を呈するディスプレイパネルと、ディスプレイを収容する筐体とを備えるテレビジョン装置が提供されている。
このようなテレビジョン装置では、多くの場合、ディスプレイパネルに画像信号を供給する信号処理部が筐体に収容されている（特許文献１参照）。
【先行技術文献】
【特許文献】
【０００３】
【特許文献１】特開２００５−１６５３５０号公報
【発明の概要】
【発明が解決しようとする課題】
【０００４】
このような従来のテレビジョン装置は、筐体に信号処理部が収容される構造上、筐体の小型化に限界があることから、テレビジョン装置を設置するスペースを広く確保しなくてはならず設置場所が限られてしまう不利がある。
また、筐体の小型化に限界があることから、テレビジョン装置のデザインが制約を受けデザインの自由度を確保する上でも不利がある。
また、本出願人は、ディスプレイ装置があたかも宙に浮いているかのような浮遊感をユーザーに与えることが可能な斬新なデザインのテレビジョン装置のスタンドを提供しているが、従来のように信号処理部が筐体に収容される構造では、筐体が大型化し、浮遊感をユーザーに与える上で不利がある。
また、ディスプレイ装置をスタンドで支持するテレビジョン装置では、従来のように信号処理部を筐体に収容した場合には、スタンドで支持するディスプレイ装置の重量が大きくなり、そのため、スタンドが大型化せざるを得ず、浮遊感をユーザーに与える上で不利がある。
本発明は、このような事情に鑑みなされたもので、その目的は、ディスプレイ装置の小型化を図るとともに、テレビジョン装置の設置場所に対する制約が少なく、デザインの自由度を確保でき、美観を向上する上で有利なテレビジョン装置を提供することにある。
【課題を解決するための手段】
【０００５】
上記目的を達成するために、本発明は、供給される画像信号に基づいて画像を表示する薄板状のディスプレイ装置と、前記ディスプレイ装置を支持するスタンドと、前記ディスプレイ装置に前記画像信号を供給する信号処理部とを備えるテレビジョン装置であって、前記信号処理部は前記スタンドに設けられていることを特徴とする。
また、本発明は、供給される画像信号に基づいて画像を表示する薄板状のディスプレイ装置と、前記ディスプレイ装置を支持するスタンドと、前記ディスプレイ装置に前記画像信号を供給する信号処理部と、を備えるテレビジョン装置であって、前記信号処理部は、前記ディスプレイ装置および前記スタンドに対して切り離されて設けられ、前記信号処理部から前記ディスプレイ装置に前記画像信号を伝達する信号伝達部が設けられている。
【発明の効果】
【０００６】
本発明によれば、ディスプレイ装置に画像信号を供給する信号処理部が、ディスプレイ装置とは切り離されスタンドに設けられているため、ディスプレイパネルを支持するフレームを小型化でき、狭いスペースにテレビジョン装置を設置する上で有利となる。
また、スタンドによって支持されたディスプレイ装置があたかも宙に浮いているかのような浮遊感をユーザーに与えることができ、デザイン性を向上させる上で有利となり、従来とは異なった趣をテレビジョン装置に付加することができ、テレビジョン装置の購買力を高める上で有利となる。
【図面の簡単な説明】
【０００７】
【図１】第１の実施の形態のテレビジョン装置１０の全体構成を示す斜視図である。
【図２】（Ａ）はテレビジョン装置１０の側面図、（Ｂ）はテレビジョン装置１０の背面図であり、何れもカバーを取り外した状態を示している。
【図３】載置部２１の構成を示す説明図である。
【図４】図３の断面図である。
【図５】（Ａ）は錘３０およびコイルばね３２部分の拡大図、（Ｂ）は（Ａ）のＡＡ線断面図である。
【図６】下旋回部２２Ａの上部の拡大図である。
【図７】第１の上下揺動部２００の側面図である。
【図８】図７のＣＣ線断面図である。
【図９】図７のＤ矢視図である。
【図１０】図９のＥＥ線断面図である。
【図１１】第１アーム２４の先端と第２アーム２６の基部の連結部分の拡大斜視図である。
【図１２】第１アーム２４の先端と第２アーム２６の基部の連結部分の側面図である。
【図１３】図１２のＢＢ線断面図である。
【図１４】（Ａ）、（Ｂ）、（Ｃ）はスタンド２０の動作説明図である。
【図１５】ディスプレイ装置１２の背面を示す斜視図である。
【図１６】（Ａ）は図１５のＡ矢視図、（Ｂ）は（Ａ）の拡大図である。
【図１７】第２のスピーカー５００４および把手５２の構成を示す分解斜視図である。
【図１８】（Ａ）はディスプレイ装置１２の正面図、（Ｂ）は（Ａ）のＡＡ線断面図である。
【図１９】信号処理部７０Ａの構成を示すブロック図である。
【図２０】各第１のスピーカー５００２の取り付け構造を示す分解斜視図である。
【図２１】カバー２２５６の上端に配設された第１のスピーカー５００２を示す説明図である。
【図２２】第１のスピーカー５００２の斜視図である。
【図２３】第２の実施の形態のテレビジョン装置１０の全体構成を示す斜視図である。
【図２４】テレビジョン装置１０の正面図である。
【図２５】図２４のＡ矢視図である。
【図２６】図２４のＢ矢視図である。
【図２７】載置部２１の構成を示す説明図である。
【図２８】信号処理部７０Ａの構成を示すブロック図である。
【発明を実施するための形態】
【０００８】
（第１の実施の形態）
以下、本発明によるテレビジョン装置１０の実施の形態を図面に基づいて詳細に説明する。
図１は第１の実施の形態のテレビジョン装置１０の全体構成を示す斜視図である。
図２（Ａ）はテレビジョン装置１０の側面図、（Ｂ）はテレビジョン装置１０の背面図であり、何れもカバー２２５６を取り外した状態を示している。
図１、図２（Ａ）、（Ｂ）に示すように、テレビジョン装置１０は、ディスプレイ装置１２と、ディスプレイ装置１２を支持するスタンド２０とを備え、スタンド２０には、ディスプレイ装置１２の姿勢を変更可能に保持する姿勢変更機構が設けられ、ディスプレイ装置１２には把手５２が設けられている。
なお、姿勢変更機構は、水平旋回部１００と、第１の上下揺動部２００と、第２の上下揺動部３００と、第３の上下揺動部４００と、前後左右上下移動部５００とを含んで構成されている。
【０００９】
まず、ディスプレイ装置１２から説明する。
図１６に示すように、ディスプレイ装置１２は、ディスプレイパネル１２０２と、このディスプレイパネル１２０２を保持する薄板状のフレーム１２０４を含んで構成されている。
本実施の形態では、ディスプレイパネル１２０２は有機ＥＬディスプレイを用いて構成されている。なお、ディスプレイパネル１２０２はプラズマディスプレイや液晶ディスプレイなどを用いて構成されたものであってもよい。
図２（Ｂ）において、符号１２１０はヒンジ部カバーである。
【００１０】
次に、スタンド２０について説明する。
スタンド２０は、被載置箇所に載置される第１のスタンド部２０Ａと、第１のスタンド部２０Ａよりも小さい断面積を有し第１のスタンド部２０Ａの上部から上方に突出し先端でディスプレイ装置１２を支持する第２のスタンド部２０Ｂとを含んで構成されている。  第１のスタンド部２０Ａは、被載置箇所に載置される載置部２１と、載置部２１上に水平旋回可能に設けられた旋回部２２とを有している。
旋回部２２は、載置部２１に旋回可能に連結された下旋回部２２Ａと、下旋回部２２Ａの上に設けられ下旋回部２２Ａよりも小さい断面積で形成され先端でディスプレイ装置１２を支持する上旋回部２２Ｂとで構成され、本実施の形態では、第２のスタンド部２０Ｂが上旋回部２２Ｂに相当している。なお、テレビジョン装置１０の安定性を高めるため、上旋回部２２Ｂよりも下旋回部２２Ａを大きい断面積で、また、重量を持たせて形成している。
図２（Ａ）に示すように、第２のスタンド部２０Ｂは、第１のスタンド部２０Ａに上下に揺動可能に連結された第１アーム２４と、第１アーム２４に上下に揺動可能に連結され先端でディスプレイ装置１２を支持する第２アーム２６と、ワイヤ２８と、錘３０と、ばね３２とを含んで構成されている。
より詳細には、載置部２１と旋回部２２とは水平旋回機構１００で連結され、第１アーム２４の基部と旋回部２２とは第１の上下揺動部２００で連結され、第２アーム２６の基部寄りの箇所と第１アーム２４の先端とが第２の上下揺動部３００で連結され、ディスプレイ装置１２の背面と第２アーム２６の先端とが第３の上下揺動部４００で連結されている。
【００１１】
図３は載置部２１の構成を示す説明図、図４は図３の断面図である。
図３に示すように、載置部２１は、机や棚や床などに載置される環板状の載置板２１０２と、載置板２１０２の内周部から起立された円筒状のカバー２１０４と、カバー２１０４の内側に設けられたベース部材２１０６とを含んで構成されている。
図３、図４に示すように、ベース部材２１０６の中央には、軸心を上下に向けた軸受部材２１０８が設けられている。
水平旋回機構１００は、載置部２１に対して旋回部２２を水平旋回可能に保持するもので、本実施の形態では、旋回部２２の下面が載置される載置面２１０４Ａと、旋回部２２の中央から下方に突設され軸受部材２１０８に挿通される軸２２０２と、軸２２０２の下端に取着され軸受部材２１０８の下面に接触して軸２２０２の抜けを阻止するリング２２０４などを含んで構成されている。なお、水平旋回機構１００は上述の構成に限定されず、従来公知の様々な構造が採用可能である。
【００１２】
旋回部２２は、フレーム２２５４（図２（Ａ）参照）と、フレーム２２５４を覆う円筒状の中空状部材であるカバー２２５６（図１参照）とを含んで構成されている。
図２、図３に示すように、フレーム２２５４は、下端に位置する円盤状の底板２２６０と、底板２２６０から立設された４本の脚体２２６２と、４本の脚体２２６２の上端に支持された上板２２６４と、上板２２６４上に支持されたブラケット２２６６などを含んで構成されている。前記の軸２２０２は底板２２６０から突設されている。
【００１３】
図５（Ａ）は錘３０およびコイルばね３２部分の拡大図、（Ｂ）は（Ａ）のＡＡ線断面図、図６は旋回部２２の上部の拡大図である。
錘３０は旋回部２２で鉛直方向に移動可能に支持されている。
錘３０は図５、図６に示すように、複数の円柱状の錘体３００２で構成されている。
各錘体３００２の中央にはワイヤ挿通孔３００４が貫通形成され、各錘体３００２の外周部の２箇所には円弧状のガイド溝３００６が形成されている。
各錘体３００２は、底板２２６０から立設された２本のガイド軸２２１０が各ガイド溝３００６に係合することで鉛直方向に移動可能に支持されている。
【００１４】
図２に示すように、ワイヤ２８は、その一端が第２アーム２６の基端に取着され、その中間部が第１アーム２４に突設された滑車２４０２に掛装されて第１アーム２４に沿って旋回部２２に向かって延在し、図６に示すように、第１アーム２４の基部に設けられたガイド部材２４０４を介して向きが変更され、ブラケット２２６６の中間部に設けられた滑車２２１２、ブラケット２２６６の上部に設けられた滑車２２１４に掛装されて滑車２２１４から下方に延在し、各錘体３００２のワイヤ挿通孔３００４を通り最も下位に位置する錘体３００２にワイヤ２８の他端が連結されている。
【００１５】
図５に示すように、コイルばね３２は、最も下位に位置する錘体３００２と底板２２６０との間に設けられ、錘３０を下方に付勢している。
すなわち、図２（Ａ）に示すように、第２の上下揺動部３００において、ディスプレイ装置１２の重量と第２アーム２６の重量により生じる回転モーメントに、錘３０の重量およびコイルばね３２の弾性力により生じる回転モーメントをワイヤ２８を介して対抗させている。
【００１６】
図１１は第２の上下揺動部３００の拡大斜視図、図１２は第２の上下揺動部３００の側面図、図１３は図１２のＢＢ線断面図である。
図１１乃至図１３に示すように、第２の上下揺動部３００により第２アーム２６の基部が第１アーム２４の先端とに対して鉛直面内で上下に揺動可能に連結されている。
第２の上下揺動部３００は、第１アーム２４に対して第２アーム２６を揺動させた際にこの揺動された状態を摩擦力を用いて保持するように構成されている。
第２の上下揺動部３００は、第１アーム２４の先端にブラケット２４０２を介して取着された摩擦係数の大きい材料からなる摩擦板４００２と、第２アーム２６の基部寄りの箇所に設けられ摩擦板４００２を挟む２つの挟持板４００４と、それら挟持板４００４間の距離を調節するための雄ねじ部材４００６とで構成され、雄ねじ部材４００６の弛緩緊締により挟持板４００４による摩擦板４００２の締め付け力が調整され、すなわち挟持板４００４と摩擦板４００２の間に生じる摩擦力が調整され、第１アーム２４と第２アーム２６とが揺動された状態が保持されるように構成されている。なお、第２の上下揺動部３００は上述の構成に限定されず、従来公知の様々な構造が採用可能である。
【００１７】
図７は第１の上下揺動部２００の側面図、図８は図７のＣＣ線断面図、図９は図７のＤ矢視図、図１０は図９のＥＥ線断面図である。
図８、図１０に示すように、第１の上下揺動部２００により第１アーム２４の基部が旋回部２２に対して鉛直面内で上下に揺動可能に連結されている。
第１の上下揺動部２００は、ディスプレイ装置１２の重量と、第２アーム２６の重量と、第１アーム２４の重量により生じる回転モーメントに対抗する回転モーメントを生じさせるねじりばね４２を有し、また、旋回部２２に対して第１アーム２４が揺動された状態を摩擦力により保持するように構成されている。
すなわち、図６乃至図９に示すように、ブラケット２２６６の中間部に第１ブラケット２２７０と第２ブラケット２２７２とが対向して設けられ、それらブラケット２２７０、２２７２間に雄ねじ部材２２７４が挿通されている。
また、第１アーム２４の基端にブラケット２４１０を介して摩擦係数の大きい材料からなる筒状の摩擦部材２４１２が取着されている。
図８に示すように、摩擦部材２４１２は雄ねじ部材２２７４が挿通される内筒部２４１４と、内筒部２４１４の半径方向外側に有する外筒部２４１６とを有し、雄ねじ部材２２７４に回転可能に支持されている。
図８、図１０に示すように、ねじりばね４２は、内筒部２４１４と外筒部２４１６との間の環状の空間に配設され、その一端４２０２が第１ブラケット２２７０に係止され、図１０に点線矢印で示すように、コイル部の弾性に抗して他端４２０４が摩擦部材２４１２に係止されて配設され、したがって、ねじりばね４２の弾性力は雄ねじ部材２２７４の周方向において、ブラケット２２６６と第１アーム２４の基端とにわたって作用している。
また、第１の上下揺動部２００は、雄ねじ部材２２７４の弛緩緊締によりブラケット２２７０、２２７２間で摩擦部材２４１２を締め付ける力が調整され、すなわちブラケット２２７０、２２７２と摩擦部材２４１２の間に生じる摩擦力が調整され、旋回部２２に対して第１アーム２４が揺動された状態が保持されるように構成されている。なお、第１の上下揺動部２００は上述の構成に限定されず、従来公知の様々な構造が採用可能である。
なお、図２（Ａ）、図６に示すように、第１の上下揺動部２００が設けられるブラケット２２６６の中間部は、上板２２６４から立設されたロッド２２６８の上端で支持されている。
【００１８】
図２（Ａ）に示すように、第３の上下揺動部４００によりディスプレイ装置１２が第２アーム２６の先端に対して鉛直面内で上下に揺動可能に連結されている。
図１５はディスプレイ装置１２の背面を示す斜視図、図１６（Ａ）は図１５のＡ矢視図、（Ｂ）は（Ａ）の拡大図である。
図１５、図１６に示すように、第３の上下揺動部４００は、ディスプレイ装置１２の背面に取着される第１の部材５４と、スタンド２００（第２アーム２６）の先端に取着され第１の部材５４に上下に揺動可能に連結される第２の部材５６とを含んで構成されている。
第３の上下揺動部４００は、第２アーム２６の先端に対してディスプレイ装置１２を揺動させた際にこの揺動された状態を摩擦力を用いて保持するように構成されている。
図１６（Ｂ）に示すように、この第３の上下揺動部４００は、図１３に示す第２の上下揺動部３００と同様に、一対の挟持板４００４Ａと、これら挟持板４００４Ａに挟まれる筒状の摩擦板４００２Ａと、一対の挟持板４００４Ａから摩擦板４００２Ａに挿通され、それら挟持板４００４Ａ間の距離を調節するための雄ねじ部材４００６Ａ（図１７参照）などを含んで構成され、雄ねじ部材４００６Ａの弛緩緊締により挟持板４００４Ａによる摩擦板４００２Ａの締め付け力が調整され、すなわち挟持板４００４Ａと摩擦板４００２Ａの間に生じる摩擦力が調整され、第２アーム２６に対してディスプレイ装置１２が上下に揺動された状態が保持されるように構成されている。
なお、一対の挟持板４００４Ａは第１の部材５４に設けられ、摩擦板４００２は第２の部材５６に設けられている。なお、第３の上下揺動部４００は上述の構成に限定されず、従来公知の様々な構造が採用可能である。
【００１９】
このような姿勢変更機構を有するスタンド２０の構成によれば、次のような作用効果が奏される。
図１４（Ａ）、（Ｂ）、（Ｃ）はスタンド２０の動作説明図である。
図１４に示すように、使用者は、把手５２を把持して、ディスプレイ装置１２が所望の位置や姿勢となるように移動させる。
このディスプレイ装置１２の移動に伴い、水平旋回機構１００により載置部２１に対して旋回部２２とともにディスプレイ装置１２が水平旋回し、第１の上下揺動部２００により旋回部２２に対して第１アーム２４が鉛直面内で揺動し、第２の上下揺動部３００により第１アーム２４に対して第２アーム２６が鉛直面内で揺動し、第３の上下揺動部４００により第２アーム２６に対してディスプレイ装置１２が鉛直面内で揺動する。
ディスプレイ装置１２が所望の位置や姿勢となったならば、ディスプレイ装置１２あるいは把手５２から手を離す。
手を離すと、水平旋回機構１００、第１乃至第３の上下揺動部２００、３００、４００、錘３０、コイルばね３２、ねじりばね４２により、ディスプレイ装置１２はその動かされた位置や姿勢でスタンド２０によって支持される。
【００２０】
ここで、第１乃至第３の上下揺動部２００、３００、４００、錘３０、コイルばね３２、ねじりばね４２の動きについて説明すると、第１の上下揺動部２００において、ディスプレイ装置１２の重量と、第２アーム２６の重量と、第１アーム２４の重量により生じる回転モーメントに、ねじりばね４２の弾性力による回転モーメントが対抗している。
また、第２の上下揺動部３００において、ディスプレイ装置１２の重量と第２アーム２６の重量により生じる回転モーメントに、錘３０の重量およびコイルばね３２の弾性力により生じる回転モーメントが対抗している。
そして、第１の上下揺動部２００および第２の上下揺動部３００の双方によって、揺動された状態が摩擦力を用いて保持される。
したがって、重量の大きなディスプレイ装置１２を支える第１、第２アーム２４、２６を円滑に簡単に動かすことができ、使い勝手を向上させる上で有利となる。
【００２１】
なお、本実施の形態では、把手５２の操作でディスプレイ装置１２が前後方向および左右方向並びに上下方向に動くので、水平旋回機構１００と、第１の上下揺動部２００と、第２の上下揺動部３００と、第３の上下揺動部４００と、錘３０と、コイルばね３２と、ねじばね４２とにより、前後左右上下移動部５００が構成されている。
【００２２】
図１９に示すように、本実施の形態では、スピーカー５０は、主として中音域および低音域の音響を出力する左チャンネルおよび右チャンネルの２つの第１のスピーカー５００２と、主として高音域の音響を出力する２つの第２のスピーカー５００４との合計４つのスピーカーで構成されている。
【００２３】
図１７は第２のスピーカー５００４および把手５２の構成を示す分解斜視図、図１８（Ａ）はディスプレイ装置１２の正面図、（Ｂ）は（Ａ）のＡＡ線断面図である。
図１７、図１８に示すように、把手５２は第１の部材５４に取着され、把手５２は、ディスプレイ装置１２の下部中央から下方に延出して設けられている。
把手５２は、ディスプレイ装置１２の前方から見た状態でディスプレイ装置１２の輪郭の外側に位置した把手部分５２Ａを有している。
２つの第２のスピーカー５００４はこの把手部分５２Ａに設けられている。
【００２４】
詳細に説明すると、図１７に示すように、把手５２は、把手本体６０と、前カバー６２と、後カバー６４とを含んで構成され、第１の部材５４の取り付け凹部５４０２に着脱可能に設けられている。
把手本体６０は、厚さと、厚さよりも大きな寸法の幅と、幅よりも大きな寸法の長さを有する縦長の板部６００２と、板部６００２の一端に設けられた枠状部６００４とを備え、板部６００２と枠状部６００４は一体に形成されている。
枠状部６００４がディスプレイ装置１２を移動させる際にユーザーにより把持される部分となり、したがって、把手本体６０は剛性を有する材料で形成され、例えば、硬質の合成樹脂や金属材料によって形成されている。
把手本体６０の他端には、第１の部材５４の取り付け凹部５４０２から突設されたピン５４０４を挿通させる挿通孔６００６が設けられている。
枠状部６００４を掴み易いように、枠状部６００４は下方に到るにつれて次第に前方に位置するように湾曲して形成されている。
【００２５】
把手本体６０の枠状部６００４寄りの箇所には、第２のスピーカー５００４を取り付けるための２つの窓６００８が上下に並んで設けられている。
本実施の形態では、第２のスピーカー５００４は２つ設けられ、第２のスピーカー５００４は把手本体６０の後面から窓６００８に臨んだ状態で把手本体６０に例えば接着剤によって接着されることで取り付けられている。
把手本体６０の板部６００２の後面に、第２のスピーカー５００４の後部を覆う後カバー６４が重ね合わされ、把手本体６０の板部６００２の前面に、第２のスピーカー５００４からの音声を通過させる放音孔が形成された前カバー６２が重ね合わされ、それら重ね合わされた状態で前カバー６２の前面が取り付け凹部５４０２の底面に当て付けられ、把手本体６０の挿通孔６００６にピン５４０４が挿通され、さらに、後カバー６４の左右両側の係合部６４０２が取り付け凹部５４０２の底面の左右両側の溝５４１０に結合することで把手５２は第１の部材５４に着脱可能に取り付けられている。
なお、図１８に示すように、把手５２が第１の部材５４に取り付けられた状態で、第２のスピーカー５００４は、ディスプレイパネル１２０２の輪郭の外側に位置している。
したがって、把手５２はディスプレイ装置１２の姿勢を変更した際に、ディスプレイ装置１２とともに移動し、ディスプレイ装置１２に対する把手５２の相対的位置は不変であり、この把手５２に第２のスピーカー５００４を設けたので、ディスプレイ装置１２の姿勢が変更された際、第２のスピーカー５００４から発せられる音響は、常にディスプレイ装置１２（ディスプレイパネル１２０２）の前方に向くことになる。
言い換えると、第２のスピーカー５００４は、ディスプレイ装置１２の前方に音響が発せられるように把手５２に設けられている。
【００２６】
図２０は各第１のスピーカー５００２の取り付け構造を示す分解斜視図、図２１はカバー２２５６の上端に配設された第１のスピーカー５００２を示す説明図、図２２は第１のスピーカー５００２の斜視図である。
図２０、図２１に示すように、第１のスピーカー５００２は旋回部２２の上端に配設されている。
より詳細に説明すると、カバー２２５６の上端は、その軸心と直交する第１の仮想平面に対して斜めに交差する方向に延在しディスプレイ装置１２の前面の前方に向いた第２の仮想平面で切断されている。
これにより、カバー２２５６の上端に、上方に開放状でディスプレイ装置１２の前面の前方に向いた開口２２８０が形成されている。
すなわち、第１のスピーカー５００２は、中空状部材であるカバー２２５６の内側で開口２２８０内に、ディスプレイ装置１２の前面の前方でかつ上方に向けて音響が発せられる向きで配設されている。
本実施の形態では、第１アーム２４の基部を構成する第１の上下揺動部２００が開口２２８０の中央に位置しており、第１のスピーカー５００２は上下揺動部２００の両側に配置されている。
開口２２８０は音響が通過可能な材料、例えば、ネットやパンチングシートなどからなるカバー２２８２で覆われている。なお、図２０において、符号２２８４はスピーカーグリルであり、符号２２８６は飾りブラケットである。
【００２７】
第１のスピーカー５００２は、音響を発生するスピーカーユニット５０１０と、スピーカーユニット５０１０が組み込まれたキャビネット（エンクロージャ）５０１２と、キャビネット５０１２の前面に設けられたポート（孔）５０１４と、ポート５０１４に組み込まれダクト（筒）５０１６とを含んで構成されている。ポート５０１４とダクト５０１６はスピーカーユニット５０１０の背面から発生された音響をキャビネット５０１２の前方に導くものである。
本実施の形態では、各第１のスピーカー５００２のスピーカーユニット５０１０は、それらの向きが、ディスプレイ装置１２の前面の前方であり、かつ、各スピーカーユニット５０１０の音軸（中心軸）が前方に向かうにしたがって次第に左右方向に離間するように傾斜して配設されている。言い換えると、各第１のスピーカー５００２は、それらの音軸が左右外側に開くように構成されている。
したがって、仮に２つの第１のスピーカー５００２の音軸の間隔が狭い場合であっても、各第１のスピーカー５００２から発せられる音響によってディスプレイ装置１２の前方にステレオの音場を形成することができることから、ディスプレイ装置１２の前方に位置するユーザーに対してステレオ感を豊かに感じさせる上で有利となっている。
【００２８】
さらに、本実施の形態では、ディスプレイ装置１２を旋回させるための把手５２に高音域の音響を発する第２のスピーカー５００４を設けているので、例えば、図１４（Ａ）、（Ｂ）に示すように、ディスプレイ装置１２を旋回部２２よりもディスプレイ装置１２の前方に大きく引き出した状態とすると、ユーザーの耳元から第２のスピーカー５００４までの距離が遠く、ユーザーの耳元から第１のスピーカー５００２までの距離が近くなる。そのため、厳密にいえば、一方の第２のスピーカー５００４から発せられた高音域の音響がユーザーの耳元に先に到達し、他方の第１のスピーカー５００２から発せられた中音域、低音域の音響が高音域の音響よりも遅れてユーザーの耳元に到達することになる。しかしながら、人間は、聴覚特性上、中音域や低音域に比較して高音域をより知覚しやすいことから、実際には、第１のスピーカー５００２から発せられた中音域、低音域の音響の遅れを感じることはなく、あたかも、高音域、中音域、低音域を含む全ての音響がディスプレイ装置１２の近傍から発せられているかのように感じることになり、ディスプレイ装置１２の前後方向の位置に拘わりなく、良好な音質の音響を提供する上で有利となる。
【００２９】
図２（Ａ）に示すように、旋回部２２のカバー２２５６の内側には信号ボックス７０が設けられ、信号ボックス７０は信号処理部７０Ａを収容している。
信号処理部７０Ａは、放送局から受信した電波、あるいは、外部装置から供給される映像信号および音声信号に基づいて、テレビジョン装置１０のディスプレイパネル１２０２に画像を表示させるとともに、スピーカー５０から音響を出力させるものである。言い換えると、信号処理部７０Ａは、ディスプレイ装置１２に画像信号を供給するとともに、スピーカー５０に音声信号を供給するものである。
図１９は信号処理部７０Ａの構成を示すブロック図である。
信号処理部７０Ａは、受信回路７００２、切り換え回路７００４、画像信号処理回路７００６、音声信号処理回路７００８、リモコン受信回路７０１０、制御回路７０１２などを含んで構成され、信号処理部７０Ａは、信号処理部７０Ａとは別に設けられた操作部７２および外部入力端子７４と接続されている。
操作部７２は、ユーザーが操作することでテレビジョン装置１０による放送の視聴にまつわる種々の操作や設定を行うためのものであり、例えば、選局用ボタン、音量調整用ボタン、入力切り換え用ボタンなどを含み、操作部７２は、例えば、カバー２２５６の外面箇所に設けられている。
外部入力端子７４は、ＤＶＤプレーヤーやビデオデッキなどの外部装置から供給される画像信号および音声信号を入力する端子であり、例えば、カバー２２５６の外面箇所に設けられている。
受信回路７００２は、制御回路７０１０からの指令に基づいて選局を行い、アンテナ７００１から受信したテレビジョン信号を復調して画像信号と音声信号に分離して出力する。
切り換え回路７００４は、受信回路７００２から供給される画像信号および音声信号と、前記外部装置から外部入力端子７４を介して供給される画像信号および音声信号とを切り換えて画像信号処理回路７００６および音声信号処理回路７００８に供給する。
画像信号処理回路７００６は、前記画像信号に対して必要な信号処理を行い、ディスプレイ装置１２を駆動するための駆動信号を生成し、この画像信号を、画像信号用ケーブル７０２０を介してディスプレイ装置１２に供給する。
音声信号処理回路７００８は、前記音声信号に対して必要な信号処理および増幅処理を行ないスピーカー５０を駆動するための音声信号を生成し、この音声信号を、音声信号用ケーブル７０２２を介してスピーカー５０に供給する。これによりスピーカー５０から音響が発生される。
リモコン受信回路７０１０は、テレビジョン装置１０とは別に設けられたリモコン送信機７６から送信される選局、音量調整、入力切り換えなど各種動作を指令する制御コマンドを無線信号（赤外線信号）によって受信し、その受信した制御コマンドを制御回路７０１２に供給する。
制御回路７０１２は、操作部７２の操作に基づいて、あるいは、リモコン受信回路７０１０から供給される前記制御コマンドに基づいて、受信回路７００２の選局制御、切り換え回路７００４の画像信号および音声信号の切り換え制御、画像信号処理回路７００６、音声信号処理回路７００８の制御などを行う。
なお、本実施の形態では、画像信号用ケーブル７０２０および音声信号用ケーブル７０２２によって特許請求の範囲の信号伝達部が構成されている。
【００３０】
本実施の形態によれば、ディスプレイ装置１２に画像信号を供給する信号処理部７０Ａが、ディスプレイ装置１２とは切り離されスタンド２０に設けられているため、ディスプレイパネル１２０２の周囲のフレーム１２０４部分を小型化でき、狭いスペースにテレビジョン装置１０を設置する上で有利となる。
また、画像が表示されないフレーム１２０４部分の面積を小さくできるので、スタンド２０によって支持されたディスプレイ装置１２があたかも宙に浮いているかのような浮遊感をユーザーに与えることができ、デザイン性を向上させる上で有利となり、従来とは異なった趣をテレビジョン装置１０に付加することができ、テレビジョン装置１０の購買力を高める上で有利となる。
また、本実施の形態では、信号処理部７０Ａは、載置部２１に旋回可能に連結された断面積の大きい旋回部２２に収容されているので、信号処理部７０Ａ用の専用の取り付け部材を用いることなく信号処理部７０Ａを配設でき、部品点数の削減化、コストダウンを図る上で有利となる。
また、本実施の形態では、信号処理部７０Ａは、載置部２１に旋回可能に連結された断面積の大きい旋回部２２に収容されているので、ディスプレイ装置１２に信号処理部を組み込んだ従来のテレビジョン装置と比べ、第２のスタンド部２０Ｂで支持するディスプレイ装置１２の軽量化を図れ、したがって、従来の信号処理部が組み込まれたディスプレイ装置を支持する場合に比べ、第２のスタンド部２０Ｂをその強度、剛性を低く構成でき、テレビジョン装置１０の軽量化やコストダウンを図る上で有利となる。
【００３１】
（第２の実施の形態）
次に、第２の実施の形態について説明する。
第２の実施の形態が第１の実施の形態と異なるのは、第１の実施の形態では、信号処理部７０をディスプレイ装置１２から切り離しスタンド２０に配設したのに対して、第２の実施の形態では、信号処理部７０をディスプレイ装置１２およびスタンド２０から切り離した点である。
図２３は第２の実施の形態のテレビジョン装置１０の全体構成を示す斜視図、図２４はテレビジョン装置１０の正面図、図２５は図２４のＡ矢視図、図２６は図２４のＢ矢視図である。なお、以下では第１の実施の形態と同様の部分または部材には同一の符号を付して説明する。
図２３に示すように、テレビジョン装置１０は、ディスプレイ装置１２と、ディスプレイ装置１２を支持するスタンド２０と、信号処理部７０Ａと、信号ボックス７０とを備えている。
【００３２】
まず、ディスプレイ装置１２から説明する。
図２３に示すように、ディスプレイ装置１２は、ディスプレイパネル１２０２と、このディスプレイパネル１２０２を保持する薄板状のフレーム１２０４を含んで構成されている。
本実施の形態では、ディスプレイパネル１２０２は有機ＥＬディスプレイを用いて構成されている。なお、ディスプレイパネル１２０２はプラズマディスプレイや液晶ディスプレイなどを用いて構成されたものであってもよい。
【００３３】
次に、スタンド２０について説明する。
図２３乃至図２６に示すように、スタンド２０は、被載置箇所に載置される載置部２１と、載置部２１に旋回可能に連結され先端でディスプレイ装置を支持する旋回部２２とを有している。
旋回部２２は、載置部２１に旋回可能に連結された下旋回部２２Ａと、下旋回部２２Ａの上に設けられ下旋回部２２Ａよりも小さい断面積で形成され先端でディスプレイ装置１２を支持する上旋回部２２Ｂとで構成され、上旋回部２２Ｂは、単一のアーム２４で構成されている。
より詳細には、載置部２１と下旋回部２２Ａとは水平旋回機構１００Ａで連結され、アーム２４の基部と下旋回部２２Ａとは第１の上下揺動部２００Ａで連結され、アーム２４の先端とディスプレイ装置１２の背面とは第２の上下揺動部３００Ａで連結されている。
【００３４】
図２７は載置部２１の構成を示す説明図である。
図２７に示すように、載置部２１は、第１の実施の形態と同様であり、机や棚や床などに載置される環板状の載置板２１０２と、載置板２１０２の内周部から起立された円筒状のカバー２１０４と、カバー２１０４の内側に設けられたベース部材２１０６とを含んで構成されている。
ベース部材２１０６の中央には、軸心を上下に向けた軸受部材２１０８が設けられている。
水平旋回機構１００Ａは、載置部２１に対して下旋回部２２Ａを水平旋回可能に保持するもので、本実施の形態では、下旋回部２２Ａの下面が載置される載置面２１０４Ａと、下旋回部２２Ａの中央から下方に突設され軸受部材２１０８に挿通される軸２２０２と、軸２２０２の下端に取着され軸受部材２１０８の下面に接触して軸２２０２の抜けを阻止するリング２２０４などを含んで構成されている。なお、水平旋回機構１００Ａは上述の構成に限定されず、従来公知の様々な構造が採用可能である。
【００３５】
下旋回部２２Ａは、フレーム２２５４と、フレーム２２５４を覆うカバー２２５６（図２３参照）とを含んで構成されている。
フレーム２２５４は、第１の実施の形態と同様であり、下端に位置する円盤状の底板２２６０と、底板２２６０から立設された４本の脚体２２６２などを含んで構成されている。
【００３６】
図２６に示すように、第１の上下揺動部２００によりアーム２４の基部が下旋回部２２Ａに対して鉛直面内で上下に揺動可能に連結されている。
第１の上下揺動部２００Ａは、下旋回部に対してアーム２４を揺動させた際にこの揺動された状態を摩擦力を用いて保持するように構成されている。
第１の上下揺動部２００Ａは、第１の実施の形態と同様で、図１２、図１３に示すように、下旋回部２２Ａのフレーム２２５４で支持された左右一対の挟持板４００４と、アーム２４の基端に取着された摩擦係数の大きい材料からなり左右一対の挟持板４００４の間に配置される摩擦板４００２と、それら挟持板４００４間の距離を調節するための雄ねじ部材４００６とで構成され、雄ねじ部材４００６の弛緩緊締により挟持板４００４による摩擦板４００２の締め付け力が調整され、すなわち挟持板４００４と摩擦板４００２の間に生じる摩擦力が調整され、下旋回部に対してアーム２４が揺動された状態が保持されるように構成されている。
なお、アーム２４の先端とディスプレイ装置１２の背面とを連結する第２の上下揺動部３００Ａも第１の上下揺動部２００Ａと同様に構成されている。
それら第１、第２の上下揺動部２００Ａ、３００Ａは上述の構成に限定されず、従来公知の様々な構造が採用可能である。
【００３７】
図１９に示すように、スピーカー５０は、主として中音域および低音域の音響を出力する左チャンネルおよび右チャンネルの２つの第１のスピーカー５００２と、主として高音域の音響を出力する２つの第２のスピーカー５００４との合計４つのスピーカーで構成されている。
それらスピーカー５０は、図２０乃至図２２に示すように、第１の実施の形態と同様に、第１のスピーカー５００２は下旋回部２２Ａの上端に配設されれている。
すなわち、図２０、図２１に示すように、カバー２２５６の上端は、その軸心と直交する第１の仮想平面に対して斜めに交差する方向に延在しディスプレイ装置１２の前面の前方に向いた第２の仮想平面で切断され、これにより、カバー２２５６の上端に、上方に開放状でディスプレイ装置１２の前面の前方に向いた開口２２８０が形成されている。
第１のスピーカー５００２は、中空状部材であるカバー２２５６の内側で開口２２８０内に、ディスプレイ装置１２の前面の前方でかつ上方に向けて音響が発せられる向きで配設されている。
本実施の形態では、第１アーム２４の基部を構成する第１の上下揺動部２００Ａが開口２２８０の中央に位置しており、第１のスピーカー５００２は上下揺動部２００Ａの両側に配置されている。
開口２２８０は音響が通過可能な材料、例えば、ネットやパンチングシートなどからなるカバー２２８２で覆われている。
第１のスピーカー５００２は、音響を発生するスピーカーユニット５０１０と、スピーカーユニット５０１０が組み込まれたキャビネット（エンクロージャ）５０１２と、キャビネット５０１２の前面に設けられたポート（孔）５０１４と、ポート５０１４に組み込まれダクト（筒）５０１６とを含んで構成されている。
第２のスピーカー５００４は、図１５乃至図１８に示すように、第１の実施の形態と同様に、把手５２に設けられている。
【００３８】
図２３に示すように、ディスプレイ装置１２およびスタンド２０から切り離して信号処理部７０Ａが設けられている。
信号処理部７０Ａは信号ボックス７０に収容されている。
信号処理部７０Ａは、第１の実施の形態と同様に、放送局から受信した電波、あるいは、外部装置から供給される映像信号および音声信号に基づいて、テレビジョン装置１０のディスプレイパネル１２０２に画像を表示させるとともに、スピーカー５０から音響を出力させるものである。言い換えると、信号処理部７０Ａは、ディスプレイ装置１２に画像信号を供給するとともに、スピーカー５０に音声信号を供給するものである。
図２８は信号処理部７０Ａの構成を示すブロック図である。
第１の実施の形態では、信号処理部７０Ａとディスプレイ装置１２およびスピーカー５０の間が画像音声信号用ケーブル７０２０、音声信号用ケーブル７０２２でそれぞれ接続されていたが、第２の実施の形態では、信号処理部７０Ａからの画像信号および音声信号を無線通信でディスプレイ装置１２およびスピーカー５０に伝達している点が第１の実施の形態と異なっており、その他の信号処理部７０Ａの構成は第１の実施の形態と同様である。
すなわち、図２８に示すように、第１の通信部７０３０と第２の通信部７０３２が設けられている。
第１の通信部７０３０は、本実施の形態では、信号ボックス７０内に収容され、画像信号処理回路７００６から供給される画像信号と、音声信号処理回路７００８から供給される音声信号とを所定の周波数帯域の無線信号に変換して送信するものである。
第２の通信部７０３２は、本実施の形態では、下旋回部２２Ａのカバー２２５６の内側に収容され、第１の通信部７０３０から受信した無線信号をディスプレイ装置１２を駆動する画像信号に変換してディスプレイ装置１２に供給するとともに、第１の通信部７０３０から受信した無線信号をスピーカー５０を駆動する音声信号に変換してスピーカー５０に供給するものである。
なお、本実施の形態では、第１の通信部７０３０および第２の通信部７０３２によって特許請求の範囲の信号伝達部が構成されている。
また、第１の通信部７０３０と第２の通信部７０３２の間でなされる無線通信の通信方式は、特に限定されるものではなく、例えば、ブルートゥースや無線ＬＡＮ、あるいは、赤外線通信など従来公知の様々な通信方式を採用可能である。
【００３９】
第２の実施の形態によれば、前記第１の実施の形態による効果に加え、信号処理部７０Ａが、ディスプレイ装置１２およびスタンド２０に対して切り離されているため、テレビジョン装置１０の小型化、軽量化を図る上でより有利となる。
【符号の説明】
【００４０】
１０……テレビジョン装置、１２……ディスプレイ装置、２０……スタンド、７０Ａ……信号処理部。
【図１】
2011010361.tif 000003
【図２】
2011010361.tif 000004
【図３】
2011010361.tif 000005
【図４】
2011010361.tif 000006
【図５】
2011010361.tif 000007
【図６】
2011010361.tif 000008
【図７】
2011010361.tif 000009
【図８】
2011010361.tif 000010
【図９】
2011010361.tif 000011
【図１０】
2011010361.tif 000012
【図１１】
2011010361.tif 000013
【図１２】
2011010361.tif 000014
【図１３】
2011010361.tif 000015
【図１４】
2011010361.tif 000016
【図１５】
2011010361.tif 000017
【図１６】
2011010361.tif 000018
【図１７】
2011010361.tif 000019
【図１８】
2011010361.tif 000020
【図１９】
2011010361.tif 000021
【図２０】
2011010361.tif 000022
【図２１】
2011010361.tif 000023
【図２２】
2011010361.tif 000024
【図２３】
2011010361.tif 000025
【図２４】
2011010361.tif 000026
【図２５】
2011010361.tif 000027
【図２６】
2011010361.tif 000028
【図２７】
2011010361.tif 000029
【図２８】
2011010361.tif 000030
【手続補正書】
【提出日】平成22年9月10日(2010.9.10)
【手続補正１】
【補正対象書類名】明細書
【補正対象項目名】０００５
【補正方法】変更
【補正の内容】
【０００５】
本発明によるテレビジョン装置は、供給される画像信号に基づいて画像を表示する薄板状のディスプレイ装置と、ディスプレイ装置を支持するスタンドと、ディスプレイ装置に画像信号を供給する信号処理部とを備え、信号処理部は、ディスプレイ装置およびスタンドに対して切り離されて設けられ、信号処理部からディスプレイ装置に画像信号を伝達する信号伝達部が設けられているものである。
【手続補正２】
【補正対象書類名】明細書
【補正対象項目名】０００６
【補正方法】変更
【補正の内容】
【０００６】
本発明によれば、ディスプレイ装置に画像信号を供給する信号処理部を、ディスプレイ装置およびスタンドとは切り離して設ける一方、信号処理部からディスプレイ装置に画像信号を伝達する信号伝達部を設けるようにしたので、ディスプレイパネルを支持するフレームを小型化でき、狭いスペースにテレビジョン装置を設置する上で有利となる。
また、スタンドによって支持されたディスプレイ装置があたかも宙に浮いているかのような浮遊感をユーザーに与えることができ、デザイン性を向上させる上で有利となり、従来とは異なった趣をテレビジョン装置に付加することができ、テレビジョン装置の購買力を高める上で有利となる。